【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
高フレームレート（ＨＦＲ）画像を有するソースコンテンツを処理する方法であって、
前記ＨＦＲ画像よりも低いフレームレートを有する少なくとも１つの低フレームレート（ＬＦＲ）画像ブロックに前記ソースコンテンツの前記ＨＦＲ画像を、ＨＦＲ画像の連続した組を前記ＬＦＲ画像ブロックの別個のコーナーにカプセル化することによってタイル化することと、
少なくとも１つの動作を前記少なくとも１つの画像ブロックに対して実行することと
を含む、方法。
【請求項２】
高フレームレートよりも低い第１のフレームレートを有する少なくとも１つの低フレームレート（ＬＦＲ）画像ブロックにタイル化されたソースコンテンツの高フレームレート（ＨＦＲ）画像を復号化する方法であって、
前記ＬＦＲ画像ブロックの別個のコーナーにカプセル化された前記ＨＦＲ画像の連続した組をデカプセル化することにより、前記少なくとも１つの画像ブロックにタイル化された連続画像を選択することと、
前記第１のフレームレートよりも高い第２のフレームレートで表示するために、前記選択された画像を順次提供することと
を含む、方法。
【請求項３】
第１のフレームレートでソースコンテンツの高フレームレート（ＨＦＲ）画像を符号化する装置であって、
前記画像を受信する受信機と、
前記受信機により受信された前記ソースコンテンツの前記ＨＦＲ画像を記憶するバッファと、
高フレームレート未満の第２のフレームレートで少なくとも１つの低フレームレート（ＬＦＲ）画像ブロックを出力する画像ブロック出力モジュールであって、前記少なくとも１つの画像ブロックは、ＨＦＲ画像の連続した組を前記ＬＦＲ画像ブロックの別個のコーナーにカプセル化することにより、その中にタイル化された前記画像を有する、画像ブロック出力モジュールと
を含む、装置。
【請求項４】
第１のフレームレートを有する少なくとも１つの画像ブロックにタイル化されたソースコンテンツの高フレームレート（ＨＦＲ）画像を復号化する装置であって、
前記少なくとも１つの低フレームレート（ＬＦＲ）画像ブロックを受信する受信機と、
前記受信機により受信された前記少なくとも１つの画像ブロックを記憶するバッファと、
前記ＬＦＲ画像ブロックの別個のコーナーにＨＦＲ画像の連続した組をカプセル化することにより、前記少なくとも１つの画像ブロックにタイル化された前記ソースコンテンツの連続ＨＦＲ画像を選択し、且つ前記第１のフレームレートよりも高い第２のフレームレートで表示するために、前記選択された画像を順次提供するように構成される画像ブロック出力モジュールと
を含む、装置。
【請求項５】
前記ソースコンテンツは、前記少なくとも１つのＬＦＲ画像ブロックと等しい解像度を有する、請求項１又は請求項２に記載の方法。
【請求項６】
前記ソースコンテンツの前記画像は、前記少なくとも１つの画像ブロックにタイル化される前に、アナモルフィックにスケーリングされる、請求項１又は請求項２に記載の方法。
【請求項７】
前記ソースコンテンツは、３Ｄ立体画像対であって、それぞれ画像対が右目画像及び左目画像を有する、３Ｄ立体画像対を含む、請求項１又は請求項２に記載の方法。
【請求項８】
前記ソースコンテンツは、前記少なくとも１つのＬＦＲ画像ブロックと等しい解像度を有する、請求項３又は請求項４に記載の装置。
【請求項９】
前記ソースコンテンツの前記画像は、前記少なくとも１つの画像ブロックにタイル化される前に、アナモルフィックにスケーリングされる、請求項３又は請求項４に記載の装置。
【請求項１０】
前記ソースコンテンツは、３Ｄ立体画像対であって、それぞれ画像対が右目画像及び左目画像を有する、３Ｄ立体画像対を含む、請求項３又は請求項４に記載の装置。
【請求項１１】
前記少なくとも１つの動作は編集動作を含む、請求項１に記載の方法。
【請求項１２】
前記少なくとも１つの動作は、圧縮動作又は復元動作のうちの一方を含む、請求項１に記載の方法。
【請求項１３】
前記復元動作は動きベースの圧縮である、請求項１２に記載の方法。
【請求項１４】
前記動きベースの圧縮を示すメタデータを特定することを更に含む、請求項１３に記載の方法。
【請求項１５】
前記動きベースの圧縮はフレーム内符号化を使用する、請求項１３に記載の方法。
【請求項１６】
前記動きベースの圧縮は、プログレッシブフレーム符号化及び双方向フレーム符号化のうちの少なくとも一方を更に使用する、請求項１３に記載の方法。
【請求項１７】
前記動きベースの圧縮はスライス符号化を使用する、請求項１３に記載の方法。
【請求項１８】
前記画像ブロック出力モジュールは、動きベースの圧縮を使用して前記少なくとも１つの画像ブロックを圧縮し、及び前記動きベースの圧縮は、プログレッシブフレーム符号化及び双方向フレーム符号化のうちの少なくとも一方を更に使用する、請求項３に記載の装置。
【手続補正２】
【補正対象書類名】明細書
【補正対象項目名】００６６
【補正方法】変更
【補正の内容】
【００６６】
上記説明は、高フレームレートビデオを圧縮（符号化）する技法を記載している。
上記実施形態の一部又は全部は、以下の付記のようにも記載されうるが、以下には限られない。
（付記１）
高フレームレートソースコンテンツを処理する方法であって、
前記ソースコンテンツの高フレームレートよりも低い第２のフレームレートを有する少なくとも１つの画像ブロックに前記ソースコンテンツの画像をタイル化することと、
少なくとも１つの動作を前記少なくとも１つの画像ブロックに対して実行することと
を含む、方法。
（付記２）
前記少なくとも１つの動作は編集動作を含む、付記１に記載の方法。
（付記３）
前記少なくとも１つの動作は圧縮動作を含む、付記１に記載の方法。
（付記４）
前記圧縮動作は動きベースの圧縮を含む、付記３に記載の方法。
（付記５）
前記動きベースの圧縮動作を示すメタデータを提供するステップを更に含む、付記４に記載の方法。
（付記６）
前記動きベースの圧縮は、フレーム内符号化を使用する、付記４に記載の方法。
（付記７）
前記動きベースの圧縮は、プログレッシブフレーム符号化及び双方向フレーム符号化のうちの少なくとも一方を更に使用する、付記６に記載の方法。
（付記８）
前記動きベースの圧縮はスライス符号化を更に使用する、付記６に記載の方法。
（付記９）
前記第２のフレームレートは、前記高フレームレートの４倍であり、前記ソースコンテンツの４つの画像は、前記少なくとも１つの画像ブロックのそれぞれにタイル化される、付記１に記載の方法。
（付記１０）
前記ソースコンテンツの前記画像は、前記少なくとも１つの画像ブロックよりも低い解像度を有する、付記１に記載の方法。
（付記１１）
前記ソースコンテンツは、前記少なくとも１つの画像ブロックと等しい解像度を有する、付記１に記載の方法。
（付記１２）
前記少なくとも１つの画像ブロックへのタイル化の前に、前記ソースコンテンツの前記画像をスケーリングすることを含む、付記１に記載の方法。
（付記１３）
前記ソースコンテンツの前記画像は、前記少なくとも１つの画像ブロックへのタイル化の前に、アナモルフィックにスケーリングされる、付記１２に記載の方法。
（付記１４）
前記ソースコンテンツは、３Ｄ立体画像対であって、それぞれの画像対が右目画像及び左目画像を有する、３Ｄ立体画像対を含む、付記１に記載の方法。
（付記１５）
第１のフレームレートで、右目画像及び左目画像の立体画像対を有するレート３Ｄソースコンテンツを処理する方法であって、
前記ソースコンテンツの前記第１のフレームレートよりも低い第２のフレームレートを有する少なくとも１つの画像ブロックに前記ソースコンテンツの連続立体画像対をタイル化することと、
少なくとも１つの動作を前記少なくとも１つの画像ブロックに対して実行することと
を含む、方法。
（付記１６）
前記少なくとも１つの動作は編集動作を含む、付記１５に記載の方法。
（付記１７）
前記少なくとも１つの動作は圧縮動作を含む、付記１５に記載の方法。
（付記１８）
前記圧縮動作は動きベースの圧縮を含む、付記１７に記載の方法。
（付記１９）
前記動きベースの圧縮動作を示すメタデータを提供するステップを更に含む、付記１８に記載の方法。
（付記２０）
前記動きベースの圧縮は、フレーム内符号化を使用する、付記１８に記載の方法。
（付記２１）
前記動きベースの圧縮は、プログレッシブフレーム符号化及び双方向フレーム符号化のうちの少なくとも一方を更に使用する、付記２０に記載の方法。
（付記２２）
前記動きベースの圧縮はスライス符号化を更に使用する、付記２０に記載の方法。
（付記２３）
前記第１のフレームレートは前記第２のフレームレートの２倍であり、前記ソースコンテンツの２つの立体画像対は、前記少なくとも１つの画像ブロックのそれぞれにタイル化される、付記１５に記載の方法。
（付記２４）
前記ソースコンテンツの前記立体画像対の各画像は、前記少なくとも１つの画像ブロックよりも低い解像度を有する、付記１５に記載の方法。
（付記２５）
ソースコンテンツの前記立体画像対の各画像は、前記少なくとも１つの画像ブロックと等しい解像度を有する、付記１５に記載の方法。
（付記２６）
前記ソースコンテンツの前記立体画像対の各画像は、前記少なくとも１つの画像ブロックへのタイル化の前に、スケーリングされる、付記１５に記載の方法。
（付記２７）
前記ソースコンテンツの前記立体画像対の各画像は、前記少なくとも１つの画像ブロックへのタイル化の前に、アナモルフィックにスケーリングされる、付記２６に記載の方法。
（付記２８）
第１のフレームレートを有する少なくとも１つの画像ブロックにタイル化された画像を復号化する方法であって、
前記少なくとも１つの画像ブロックにタイル化された連続画像を選択するステップと、
前記第１のフレームレートよりも高い第２のフレームレートで表示するために、前記選択された画像を順次提供するステップと
を含む、方法。
（付記２９）
連続画像を選択的に選択する前に、少なくとも１つの動作を前記少なくとも１つの画像ブロックに対して実行するステップを更に含む、付記２８に記載の方法。
（付記３０）
前記少なくとも１つの動作は編集動作を含む、付記２８に記載の方法。
（付記３１）
前記少なくとも１つの動作は復元動作を含む、付記２８に記載の方法。
（付記３２）
前記復元動作は、動きベースの圧縮に対するものである、付記３１に記載の方法。
（付記３３）
前記動きベースの圧縮を示すメタデータを特定するステップを更に含む、付記３２に記載の方法。
（付記３４）
前記動きベースの圧縮は、フレーム内符号化を使用する、付記３２に記載の方法。
（付記３５）
前記動きベースの圧縮は、プログレッシブフレーム符号化及び双方向フレーム符号化のうちの少なくとも一方を更に使用する、付記３４に記載の方法。
（付記３６）
前記動きベースの圧縮はスライス符号化を使用する、付記３２に記載の方法。
（付記３７）
前記第２のフレームレートは、前記第１のフレームレートの４倍であり、前記ソースコンテンツの４つの画像は、前記少なくとも１つの画像ブロックのそれぞれにタイル化される、付記１に記載の方法。
（付記３８）
第１のフレームレートを有する少なくとも１つの画像ブロックにタイル化された立体画像対を表示する方法であって、
前記少なくとも１つの画像ブロックにタイル化された立体画像の連続対を選択するステップと、
前記第１のフレームレートよりも高い第２のフレームレートで表示するために、前記選択された立体画像を順次提供するステップと
を含む、方法。
（付記３９）
連続立体画像を選択的に選択する前に、少なくとも１つの動作を前記少なくとも１つの画像ブロックに対して実行するステップを更に含む、付記２８に記載の方法。
（付記４０）
前記少なくとも１つの動作は編集動作を含む、付記３８に記載の方法。
（付記４１）
前記少なくとも１つの動作は復元動作を含む、付記３８に記載の方法。
（付記４２）
前記復元動作は、動きベースの圧縮に対するものである、付記４１に記載の方法。
（付記４３）
前記動きベースの圧縮を示すメタデータを特定するステップを更に含む、付記４２に記載の方法。
（付記４４）
前記動きベースの圧縮は、フレーム内符号化を使用する、付記４２に記載の方法。
（付記４５）
前記動きベースの圧縮は、プログレッシブフレーム符号化及び双方向フレーム符号化のうちの少なくとも一方を更に使用する、付記４４に記載の方法。
（付記４６）
前記動きベースの圧縮はスライス符号化を使用する、付記４２に記載の方法。
（付記４７）
前記第２のフレームレートは、前記第１のフレームレートの２倍であり、立体画像の２つの対は、前記少なくとも１つの画像ブロックのそれぞれにタイル化される、付記３８に記載の方法。
（付記４８）
第１のフレームレートで画像を符号化する装置であって、
前記画像を受信する受信機と、
前記受信機により受信された前記画像を記憶するバッファと、
前記第１のフレームレートよりも遅い第２のフレームレートで少なくとも１つの画像ブロックを出力する画像ブロック出力モジュールであって、前記少なくとも１つの画像ブロックは、その中にタイル化された前記画像を有する、画像ブロック出力モジュールと
を含む、装置。
（付記４９）
前記画像ブロック出力モジュールは、前記少なくとも１つの画像ブロックを圧縮する、付記４８に記載の装置。
（付記５０）
前記画像ブロック出力モジュールは、動きベースの圧縮を使用して前記少なくとも１つの画像ブロックを圧縮する、付記４９に記載の装置。
（付記５１）
前記画像ブロック出力モジュールは、前記圧縮動作を示すメタデータを提供する、付記４９に記載の装置。
（付記５２）
前記動きベースの圧縮はフレーム内符号化を使用する、付記５０に記載の装置。
（付記５３）
前記動きベースの圧縮は、プログレッシブフレーム符号化及び双方向フレーム符号化のうちの少なくとも一方を更に使用する、付記５２に記載の装置。
（付記５４）
前記動きベースの圧縮はスライス符号化を使用する、付記５０に記載の装置。
（付記５５）
第１のフレームレートを有する少なくとも１つの画像ブロックのそれぞれにタイル化された画像を復号化する装置であって、
少なくとも１つの低フレームレート画像ブロックを受信する受信機と、
前記受信機により受信された前記少なくとも１つの画像ブロックを記憶するバッファと、
前記少なくとも１つの画像ブロックにタイル化された連続画像を選択し、且つ前記第１のフレームレートよりも高い第２のフレームレートで表示するために、前記選択された画像を順次提供するように構成される画像ブロック出力モジュールと
のステップを含む、装置。
（付記５６）
前記受信機は前記少なくとも１つの画像ブロックを復元する、付記５５に記載の装置。
（付記５７）
前記受信機は、動きベースの圧縮を使用して前記少なくとも１つの画像ブロックを復元する、付記５６に記載の装置。
（付記５８）
前記受信機は、前記復元動作を示すメタデータを特定する、付記５６に記載の装置。
（付記５９）
前記動きベースの圧縮はフレーム内符号化を使用する、付記５７に記載の装置。
（付記６０）
前記動きベースの圧縮は、プログレッシブフレーム符号化及び双方向フレーム符号化のうちの少なくとも一方を更に使用する、付記５９に記載の装置。
（付記６１）
前記動きベースの圧縮はスライス符号化を使用する、付記５７に記載の装置。